(57)【要約】【課題】ユーザの端末使用状態を考慮した上で適切に誤操作等を防止でき、安心して使用できる携帯端末が求められていた。【解決手段】本発明の携帯端末装置は、外部からの操作入力を受ける操作入力手段と、  光量を検出する複数の光量検出手段と、複数の光量検出手段で検出される光量に基づいて操作入力に応じた処理を行うかどうかを決定する決定手段と、を具備する。当該構成によれば、複数の光量検出手段で検出される光量に基づいてユーザが携帯端末装置を使用しているかどうかを判断し、使用していない場合には操作入力に応じた処理を行わないといったことが可能になるため、誤操作を適切に防止することができる。【選択図】図２
2013062718.tif 000002
【特許請求の範囲】
【請求項１】
外部からの操作入力を受ける操作入力手段と、
光量を検出する複数の光量検出手段と、
前記複数の光量検出手段で検出される光量に基づいて前記操作入力に応じた処理を行うかどうかを決定する決定手段と、
を具備する携帯端末装置。
【請求項２】
自装置の左側と右側に少なくとも１つの前記光量検出手段がそれぞれ配置され、
前記決定手段は、前記左側に配置された光量検出手段で検出される光量と前記右側に配置された光量検出手段で検出される光量との差分に基づいて前記操作入力に応じた処理を行うかどうかを決定する、
請求項１に記載の携帯端末装置。
【請求項３】
前記決定手段は、前記操作入力手段で前記操作入力を受けた場合に、前記複数の光量検出手段で検出される光量に基づいてユーザが自装置を使用しているかどうかを判定し、使用していると判定した場合に前記操作入力に応じた処理を行う、
請求項１に記載の携帯端末装置。
【請求項４】
前記決定手段は、前記複数の光量検出手段で検出される光量に基づいてユーザが自装置を使用しているかどうかを繰り返し判定し、使用していると判定している間に前記操作入力手段で操作入力を受けた場合に前記操作入力に応じた処理を行う、
請求項１に記載の携帯端末装置。
【請求項５】
ユーザが自装置を使用しているかどうかの判定基準を記憶する判定基準記憶手段を更に備え、
前記決定手段は、前記複数の光量検出手段で検出される光量に基づいてユーザが自装置を使用しているかどうかを前記判定基準を参照して判定する、
請求項３又は４に記載の携帯端末装置。
【請求項６】
ユーザが自装置を使用している場合に前記光量検出手段で検出される光量の検出パターンを取得する取得手段を更に備え、
前記記憶手段は前記取得手段が取得した検出パターンを前記判定基準として記憶する、
請求項５に記載の携帯端末装置。
【請求項７】
前記判定基準記憶手段は、操作入力の内容に応じて異なる判定基準を記憶し、
前記決定手段は、前記操作入力手段で受けた操作入力に応じた判断基準を参照してユーザが自装置を使用しているかどうかを判定する、
請求項５に記載の携帯端末装置。
【請求項８】
複数のアプリケーションを記憶するアプリケーション記憶手段を更に備え、
前記判定基準記憶手段は、前記アプリケーションに応じて異なる判定基準を記憶し、
前記決定手段は、前記操作入力手段で受けた操作入力に係るアプリケーションに応じた判断基準を参照してユーザが自装置を使用しているかどうかを判定する、
請求項５に記載の携帯端末装置。
【請求項９】
所定の条件を満たしている場合に、前記決定手段がユーザが自装置を使用しているかどうかの判定を行うことなく前記操作入力に応じた処理を行うように制御する制御手段を更に備える、
請求項３又は４に記載の携帯端末装置。
【請求項１０】
前記制御手段は、前記決定手段がユーザが自装置を使用していると所定回数連続して判定した場合に、前記決定手段がユーザが自装置を使用しているかどうかの判定を所定の期間行うことなく前記操作入力に応じた処理を行うように制御する、
請求項９に記載の携帯端末装置。
【請求項１１】
前記操作入力手段で前記操作入力を受けた場合に、前記複数の光量検出手段で検出される光量に基づいてユーザが自装置を使用しているかどうかを判定し、使用していると判定した場合に前記操作入力に応じた処理を行う第１の処理方法と、前記複数の光量検出手段で検出される光量に基づいてユーザが自装置を使用しているかどうかを繰り返し判定し、使用していると判定している間に前記操作入力手段で操作入力を受けた場合に前記操作入力に応じた処理を行う第２の処理方法と、を切り替える制御を行う制御手段を更に具備する、
請求項３又は４に記載の携帯端末装置。
【請求項１２】
前記決定手段が、ユーザが自装置を使用していないと判定して前記操作入力に応じた処理を行わない場合に、前記処理が行われないことを示す情報を表示する表示手段を更に備える、
請求項３又は４に記載の携帯端末装置。
【請求項１３】
前記表示手段は、前記処理を行わせる操作入力方法を合わせて表示することを特徴とする、
請求項１２に記載の携帯端末装置。
【請求項１４】
外部から操作入力を受けたことを示す操作入力信号と、複数の光量検出手段で検出された光量を示す複数の光量検出信号と、を入力する入力手段と、
前記入力した複数の光量検出信号に基づいて前記操作入力信号に応じた処理を行うかどうかを決定する決定手段と、
を具備する情報処理装置。
【請求項１５】
外部から操作入力を受けたことを示す信号が入力された場合に、複数の光量検出手段で検出された光量を示す複数の光量検出信号を入力し、
前記入力した複数の光量検出信号に基づいて前記操作入力に応じた処理を行うかどうかを決定する、
誤操作防止方法。
【請求項１６】
外部から操作入力を受けたことを示す信号が入力された場合に、複数の光量検出手段で検出された光量を示す光量検出信号を入力する入力処理と、
前記入力した光量検出信号に基づいて前記操作入力に応じた処理を行うかどうかを決定する決定処理と、
を情報処理装置に実行させる誤操作防止プログラム。
【発明の詳細な説明】
【技術分野】
【０００１】
本発明は、ユーザからの操作入力を受けて動作する持ち運び可能な携帯端末装置に関し、特に誤操作防止機能を備えた携帯端末装置に関する。
【背景技術】
【０００２】
携帯電話を始めとする携帯端末の小型化が進んだ結果、ユーザは携帯端末をポケットや鞄に入れて持ち運ぶことが一般的になっている。しかしながら、ユーザからの操作入力を起点に動作を行う携帯端末では、ポケットや鞄の中に入れている際に加わる圧力や接触等により、ユーザの意図に反して電話の発信が起きるといったアプリケーションの誤動作、誤起動が問題となっていた。また、このような誤動作等によって無駄に電力が消費されてしまうという問題も生じていた。
【０００３】
上記問題を抑える技術が特許文献１に開示されている。特許文献１に係る移動体通信端末は、複数のタッチセンサを備え、一つまたは複数のタッチセンサにより何らかの接触が検知されると、別途設けられた状態管理手段が現在の呼状態を確認する。タッチセンサで接触が検知された場合に、呼状態に対応したキー制御信号が生成される構成とすることで、着信時のキーロックの解除や音量調整等の各種機能を実現することが可能となり、入力キーに意図せぬ圧力がかかることによる誤操作等を防ぐことができる。
【０００４】
また、上記特許文献１以外にもユーザインタフェースの観点から操作機器の利便性を向上させる技術が公開されている。例えば、特許文献２には、機能選択時においてリモートコントローラの機能操作ボタンを押下する動作回数を低減する技術が開示されている。遠隔操作を受ける電子機器の受光手段は、リモートコントローラの発光手段より出射された光の受光強度に基づいてリモートコントローラの向きを判定する。当該構成によれば、使用者はリモートコントローラの方向を変えることで、ＣＲＴに表示させた機能選択画面より使用したい機能を選択することが可能となる。
【０００５】
また、特許文献３には、リモートコントローラを被制御対象機器の受信部に向けて操作すると言った煩わしい動作を減らすべく、複数の赤外線発光ダイオードを周囲多面に方向性を持たせて取り付けたリモートコントローラが開示されている。当該構成によれば、リモートコントローラ本体の向きにかかわらず被制御対象機器の制御が可能となり、ユーザの使用時の不快感をなくすことが可能となる。
【先行技術文献】
【特許文献】
【０００６】
【特許文献１】特開２００１−１２７８６６号公報
【特許文献２】特開平０７−１６２３６３号公報
【特許文献３】特開平０４−０５６５３７号公報
【発明の概要】
【発明が解決しようとする課題】
【０００７】
上記特許文献１の移動体通信端末では、タッチセンサの接触をトリガとして判定を行うため、ユーザの意図せぬ接触等により電力を消費してしまうという問題点が残存している。特許文献１では、タッチセンサによる接触検知により機能を割り振ることを目的としており、特許文献１の技術を用いても適切に誤動作等を防止することは難しい。
【０００８】
また、特許文献２、３の技術は、ユーザインタフェースの改良が行われているものの誤動作等を防止することはできない。携帯端末の小型化が進み、ユーザインタフェースがより重要となる中、ユーザの使用形態を考慮した上で適切に誤動作等を防止でき、安心して使用できる携帯端末が求められていた。
【課題を解決するための手段】
【０００９】
本発明の第１態様に係る携帯端末装置は、外部からの操作入力を受ける操作入力手段と、光量を検出する複数の光量検出手段と、前記複数の光量検出手段で検出される光量に基づいて前記操作入力に応じた処理を行うかどうかを決定する決定手段と、を具備する。当該構成によれば、複数の光量検出手段で検出される光量に基づいてユーザが携帯端末装置を使用しているかどうかを判断し、使用していない場合には操作入力に応じた処理を行わないといったことが可能になるため、誤操作を適切に防止することができる。
【００１０】
また、本発明の第２態様に係る情報処理装置は、外部から操作入力を受けたことを示す操作入力信号と、複数の光量検出手段で検出された光量を示す複数の光量検出信号と、を入力する入力手段と、前記入力した複数の光量検出信号に基づいて前記操作入力信号に応じた処理を行うかどうかを決定する決定手段と、を具備する。当該構成によれば、複数の光量検出手段で検出される光量に基づいてユーザが本発明の情報処理装置を搭載した端末装置を使用しているかどうかを判断し、使用していない場合には操作入力に応じた処理を行わないといったことが可能になるため、誤操作を適切に防止することができる。
【００１１】
また、本発明の第３態様に係る誤操作防止方法は、外部から操作入力を受けたことを示す信号が入力された場合に、複数の光量検出手段で検出された光量を示す複数の光量検出信号を入力し、前記入力した複数の光量検出信号に基づいて前記操作入力に応じた処理を行うかどうかを決定する。当該方法によれば、外部より操作入力を受けても複数の光量検出手段で検出される光量に基づいてユーザからの正規の操作入力かどうかを判定した上で操作入力に応じた処理を行うといったことが可能になるため、誤操作を適切に防止することができる。
【００１２】
また、本発明の第４態様に係る誤操作防止プログラムは、外部から操作入力を受けたことを示す信号が入力された場合に、複数の光量検出手段で検出された光量を示す光量検出信号を入力する入力処理と、前記入力した光量検出信号に基づいて前記操作入力に応じた処理を行うかどうかを決定処理と、を情報処理装置に実行させる。当該プログラムによれば、外部より操作入力を受けても複数の光量検出手段で検出される光量に基づいてユーザからの正規の操作入力かどうかを判定した上で操作入力に応じた処理を情報処理装置に行わせるといったことが可能となるため、誤操作を適切に防止することができる。
【発明の効果】
【００１３】
本発明によれば、ユーザの端末使用状態を考慮した上で適切に誤操作等を防止でき、安心して使用できる携帯端末を提供することができる。
【図面の簡単な説明】
【００１４】
【図１Ａ】実施の形態１に係る携帯端末の正面図である。
【図１Ｂ】実施の形態１に係る携帯端末の背面図である。
【図２】実施の形態１に係る携帯端末の構成を示すブロック図である。
【図３】実施の形態１に係る携帯端末の動作を示すフローチャート図である。
【図４】実施の形態２に係る携帯端末の外観図である。
【図５】実施の形態２に係る携帯端末の構成を示すブロック図である。
【図６】実施の形態２に係る設定情報と判定基準との対応付けの一例を示す図である。
【図７】実施の形態３に係る携帯端末の構成を示すブロック図である。
【図８】実施の形態３に係る携帯端末の動作を示すフローチャート図である。
【図９】実施の形態３に係る携帯端末の動作を示すフローチャート図である。
【図１０】実施の形態４に係る携帯端末の構成を示すブロック図である。
【図１１】実施の形態４に係る設定情報の自動登録時に表示される画面の一例である。
【図１２】実施の形態４に係る設定情報の一例を示す図である。
【図１３】実施の形態５に係る携帯端末の構成を示すブロック図である。
【図１４】実施の形態５に係る携帯端末の動作を示すフローチャート図である。
【図１５】実施の形態５に係る携帯端末の動作を示すフローチャート図である。
【図１６】実施の形態６に係る携帯端末の構成を示すブロック図である。
【図１７】実施の形態６に係る誤操作防止機能作動時に表示される画面の一例である。
【図１８】実施の形態７に係る携帯端末の構成を示すブロック図である。
【図１９】実施の形態７に係る判定基準管理情報を構成する第１管理テーブルの一例を示す図である。
【図２０】実施の形態７に係る判定基準管理情報を構成する第２管理テーブルの一例を示す図である。
【発明を実施するための形態】
【００１５】
本発明の実施の形態について以下に図面を参照して説明する。以下の説明は、本発明の好適な実施の形態を示すものであって、本発明の範囲が以下の実施の形態に限定されるものではない。以下の説明において、同一の符号が付されたものは実質的に同様の内容を示している。
【００１６】
（実施の形態１）
以下、図面を参照して本発明の実施の形態１について説明する。図１Ａ、図Ｂは、それぞれ本発明の実施の形態１に係る携帯端末１００の正面図と背面図である。携帯端末１００本体の正面には、ユーザからの操作入力を受ける操作入力部１０と、外部より照射される光の光量を検出（測定）する光量検出部２０Ａと、が配置されている。また、携帯端末１００本体の背面には、別の光量検出部２０Ｂが配置されている。
【００１７】
ここで、操作入力部１０は、具体的には、複数の入力キーなどで構成され、当該入力キーが押下された場合に、当該操作入力部１０が操作入力を受けたことになる。また、光量検出部２０Ａ、２０Ｂは、それぞれフォトダイオードなどの光センサで構成される。
【００１８】
次に、携帯端末１００の機能について説明する。図２は、携帯端末１００の構成を示すブロック図である。携帯端末１００は、操作入力部１０と、光量検出部２０Ａ、２０Ｂと、決定部３０と、を備える。
【００１９】
操作入力部１０は、ユーザからの操作入力を受けると、当該操作入力に応じた操作入力信号を決定部３０に出力する。
【００２０】
光量検出部２０Ａ、２０Ｂは、それぞれ検出した光量に応じた光量検出信号を決定部３０に出力する。例えば、光量検出信号は、検出された光量を２５６段階で表した８ビット情報とすることができる。
【００２１】
決定部３０は、操作入力部１０が操作入力を受けると、光量検出部２０Ａ、２０Ｂで検出される光量に基づいて操作入力部１０で受けた操作入力に応じた処理を行うかどうかを決定する。例えば、操作入力部１０において通話開始ボタンが押下された場合、決定部３０は、光量検出部２０Ａ、２０Ｂよりそれぞれ入力した光量検出信号に基づいて通話開始処理を行うかどうかを決定する。
【００２２】
決定部３０は、操作入力に応じた処理を行うと決定した場合は、当該処理を実行し、操作入力に応じた処理を行わないと決定した場合は、操作入力部１０が受けた操作入力は無効であるとして当該処理を実行しない。
【００２３】
具体的には、決定部３０は、操作入力部１０が操作入力を受けて出力した操作入力信号を入力すると、光量検出部２０Ａ、２０Ｂで検出される光量に応じた光量検出信号をそれぞれ入力する。決定部３０は、光量検出部２０Ａ、２０Ｂよりそれぞれ入力した光量検出信号に基づいて、現在の端末使用状態がユーザ使用中であるかどうかを判定する。ここで、当該判定は、操作入力部１０が受けた操作入力が、ユーザが意図したキー操作であるかどうかの判定と考えることもできる。決定部３０は、上記判定の結果、ユーザ使用中と判定した場合は、操作入力部１０で受けた操作入力に応じた処理を行い、一方、ユーザ不使用中であると判定した場合は、操作入力部１０で受けた操作入力に応じた処理は行わない。
【００２４】
次に決定部３０の動作について説明する。図３は、決定部３０の処理の流れを示すフローチャート図である。
【００２５】
決定部３０は、操作入力部１０が外部より操作入力を受けたかどうかを監視する（ステップ１００１）。決定部３０は、操作入力部１０が外部より操作入力を受けて出力した前記操作入力に応じた操作入力信号を入力すると、光量検出部２０Ａ及び２０Ｂより光量検出信号を入力する（ステップ１００２）。具体的には、決定部３０は、光量検出部２０Ａ及び２０Ｂに光量の検出を指示し、各光量検出部で検出された光量を示す光量検出信号を入力する。
【００２６】
決定部３０は、入力した光量検出信号に基づいて現在の端末使用状態がユーザ使用中であるかどうかを所定の判定アルゴリズムを用いて判定する（ステップ１００３）。決定部３０は、ステップ１００３の判定処理においてユーザ使用中であると判定した場合は、操作入力に応じた処理を実行する（Ｓ１００４）。一方、ステップ１００３においてユーザ不使用中であると判定した場合は、操作入力部１０が受けた操作入力は無効であるとして、当該操作入力に応じた処理を実行することなく動作を終了する（ステップ１００５）。
【００２７】
通常、ユーザは、携帯端末１００を操作する場合に、片手で端末本体を保持しながら保持した手の親指で正面に配置されている操作入力部１０を操作するか、又は逆の手で操作入力部１０を操作することになる。この時、光量検出部２０Ｂが保持する手によって覆われるため、光量検出部２０Ｂで検出される光量は、光量検出部２０Ａで検出される光量よりも少なくなる傾向がある。
【００２８】
このように、ユーザが適切に携帯端末１００を使用しているかどうかは、光量検出部２０Ａ、２０Ｂで検出される光量に反映される。そこで、決定部３０が、光量検出部２０Ａ、２０Ｂで検出される光量に基づいて操作入力部１０で受けた操作入力に応じた処理を行うかどうかを決定することで誤操作を防止することが可能となる。すなわち、決定部３０は、光量検出部２０Ａと光量検出部２０Ｂとからそれぞれ光量検出信号を入力し、当該光量検出信号が示す光量の大きさを比較する比較処理を行う。当該比較処理の結果、光量検出部２０Ａより入力した光量検出信号が示す光量がより大きかった場合には、ユーザが自端末を操作していると判定して操作入力部１０で受けた操作入力に応じた処理を実行する。このような構成とすることで、意図せぬ接触による誤操作を防止することができる。
【００２９】
また、決定部３０は、光量検出部２０Ａで検出される光量が光量検出部２０Ｂで検出される光量よりも所定の値以上大きい場合に、操作入力部１０で受けた操作入力に応じた処理を行うと決定しても良い。このように各光量検出部で検出される光量の差分に基づいて上記決定を行う構成とすることで、意図せぬ接触による誤操作を防止することができる。
【００３０】
また、ユーザが端末本体を保持する場合、光センサと手の間に空間があるため外光が光量検出部２０Ｂに僅かながら照射されて光量が検出されることになる。そこで、光量検出部２０Ｂで検出される光量が所定の基準値より大きく、かつ、光量検出部２０Ａで検出される光量よりも少ない場合に操作入力部１０で受けた操作入力に応じた処理を行うと決定しても良い。当該構成とすることで、より正確に意図せぬ接触による誤操作を防止することができる。また、決定部３０が行う判定処理のアルゴリズムは、上記のアルゴリズムに限るものではなく、ユーザの使用状態を考慮して様々な形態をとることが可能である。
【００３１】
なお、上記説明では携帯端末１００が光量検出部を２つ備える場合について説明したがこれに限るものではなく、更に多くの光量検出部を備える構成としてもよい。より多くの光検出部を用いることでユーザ使用中であるかどうかをより正確に判定することができ、正規のキー入力か誤操作によるキー入力かをより正確に判定することができる。
【００３２】
なお、上記説明ではユーザからの入力操作を受ける操作入力部が入力キーであるとして説明したがこれに限定されるものではない。例えばタッチパネルを当該操作入力部として設けることも可能である。
【００３３】
（実施の形態２）
以下、図面を参照して本発明の実施の形態２について説明する。なお、実施の形態１で説明した部分については発明の明確化のため一部説明を省略する。
【００３４】
図４は、それぞれ本発明の実施の形態２に係る携帯端末２００の外観図である。携帯端末２００は、正面に操作入力部１０と、４つの光量検出部２０Ｃ〜２０Ｆと、表示部２１０と、が配置されている。表示部２１０は、入力した表示指示に従って、指示された画面を表示する。
【００３５】
携帯端末２００が備える複数の光量検出部のうち、光量検出部２０Ｃ、２０Ｄは本体の左側に、光量検出部２０Ｅ、２０Ｆは本体の右側にそれぞれ配置されている。
【００３６】
通常、ユーザが携帯端末を操作する手はユーザ毎に決まっている。例えば右利きのユーザは右手で端末本体を保持し、右手の親指で本体正面に配置された入力キーを操作したり、左手で端末本体を保持し、右手の人差指で入力キーを操作したりする傾向がある。このようにユーザは、大きく分けて右手で操作するユーザと左手で操作するユーザに分類することができる。多くの入力キーを操作入力部として備える端末や、タッチパネルを操作入力部として備える端末など、高度な操作入力が要求される端末では、ユーザは慣れ親しんだ操作方法で端末を操作する傾向が特に顕著となる。
【００３７】
ここで、例えば右利きのユーザが右手で操作入力部を操作する場合、正面右側に配置された光量検出部２０Ｅは操作する右手で隠れるため、左側に配置された光量検出部２０Ｃと比較して検出される光量が少なくなる。一方、ポケット内での接触といった誤操作ではこのような傾向がなくなる。このように、本実施の形態２では、ユーザ毎に操作する手が決まっており、操作する手に依存して操作時において右側に配置された光量検出部で検出される光量と左側に配置された光量検出部で検出される光量に差が生じる点に着目し、誤操作防止を図る構成としている。
【００３８】
次に、携帯端末２００の機能について説明する。図５は、携帯端末２００の構成を示すブロック図である。携帯端末２００は、操作入力部１０と、光量検出部２０Ｃ〜２０Ｆと、決定部３０と、表示部２１０と、設定部２２０と、設定情報記憶部２３０と、を備える。
【００３９】
設定部２２０は、誤操作防止用の設定を行う。具体的には、設定部２２０は、ユーザの端末操作方法を設定するものであり、より具体的には、操作入力に用いられる手が右手であるか左手であるかを設定する。例えば、設定部２２０は、表示部２１０に誤操作防止用の設定画面を表示させ、ユーザより操作入力部１０を介して入力された指示に基づいて当該ユーザの端末操作方法の設定を行う。設定部２２０で設定された内容は設定情報として設定情報記憶部２３０に記憶される。
【００４０】
設定情報記憶部２３０は、設定部２２０で設定された上記設定情報を記憶する。ここでは、具体的に設定情報は操作する手が「右手」であるか「左手」であるかが示されている。なお、デフォルト状態では、設定情報には操作する手が「右手」であるとして設定されていても良い。
【００４１】
決定部３０は、操作入力部１０が外部より操作入力を受けると、光量検出部２０Ｃ〜２０Ｆで検出される光量に基づいて操作入力部１０で受けた操作入力に応じた処理を行うかどうかを決定する。
【００４２】
具体的には、決定部３０は、操作入力部１０が外部より操作入力を受けると、設定情報記憶部２３０より上記設定情報を参照し、ユーザが操作に使用する手が「右手」として設定されているか「左手」として設定されているかを確認する。
【００４３】
次に、決定部３０は、光量検出部２０Ｃ〜２０Ｆより検出される光量に応じた検出信号を入力し、本体左側に配置された光量検出部２０Ｃ、２０Ｄで検出された光量と本体右側に配置された光量検出部２０Ｅ、２０Ｆで検出された光量とを比較する。
【００４４】
ここで、決定部３０は、上記比較の結果、光量検出部２０Ｃ、２０Ｄで検出された光量が光量検出部２０Ｅ、２０Ｆで検出された光量よりも多く、かつ、上記設定情報に示すユーザが操作に使用する手が「右手」として設定されている場合は、ユーザによる正規の操作入力であると判定する。一方、上記光量の検出結果において、上記設定情報に示すユーザが操作に使用する手が「左手」として設定されている場合は、誤操作であると判定する。決定部３０は、上記判定の結果、操作入力部１０で受けた操作入力がユーザによる正規の操作入力であると判定した場合、すなわちユーザ使用中であると判定した場合は、当該操作入力に応じた処理を行う。
【００４５】
以上説明したように、本実施の形態２に係る携帯端末２００は、自端末の左側と右側に少なくとも１つの前記光量検出手段がそれぞれ配置され、決定手段は、前記左側に配置された光量検出手段で検出される光量と前記右側に配置された光量検出手段で検出される光量の差に基づいて前記入力部で受けた入力操作に応じた処理を行うかどうかを決定する。当該構成とすることで、ユーザの使用形態を考慮した上でより適切に誤動作等を防止でき、安心して使用することができる。
【００４６】
なお、上記説明では、光量検出部が左側と右側に２つずつ合計４つ配置される構成について説明したがこれに限るものではない。本体左下に１つの光量検出部が配置され、本体右下に１つの光量検出部が配置される構成であっても良いし、更に多くの光量検出部を備える構成であっても良い。
【００４７】
また、上述した決定部３０が行うユーザ使用中であるかどうかの判定方法は一例でありこれに限定されるものではない。例えば、電気を消した部屋で携帯端末を操作する場合は、表示部２１０のバックライトに照らされた操作している手で光が反射される分、操作している手の方の光量検出部で検出される光量がより多くなる場合がある。そこで、決定部３０は、４つの光量検出部で検出される光量から周囲の明るさを判定した上でユーザ使用中かどうかを決定しても良い。すなわち、決定部３０は、４つの光量検出部で検出される光量の総和又は平均値等を算出し、当該算出値が所定の基準値以下である場合は、設定情報に示すユーザが操作に使用する手の方に配置された光量検出部で検出された光量がより多い場合にユーザ使用中と判定しても良い。
【００４８】
この場合、設定情報記憶部２３０は図６に示す管理テーブルを記憶しておいても良い。当該管理テーブルには、設定情報で設定される内容に対応してユーザが使用中と判定される光量の値が判定基準として対応付けされている。決定部３０は、設定情報記憶部２３０より上記設定情報と上記管理テーブルを読み込み、ユーザ使用中と判定する場合の判定基準をレジスタに保持しておく。次に決定部３０は、操作入力部１０より操作入力信号を入力すると、光量検出部２０Ｃ〜２０Ｆよりそれぞれ光量検出信号を入力し、４つの光量検出部で検出される光量の平均値を算出する。次に、光量検出部２０Ｃで検出される光量の値と光量検出部２０Ｅで検出される光量の値の差分を算出する。ここで、決定部３０は、上記判定基準と算出したこれらの値とを比較し、当該判定基準を満たしている場合は、ユーザが正規に操作しているとして操作入力に応じた処理を実行する。このような構成とすることで、誤操作かどうかを更に正確に判定することができる。
【００４９】
また、実施の形態１と同様、本体背面に第５の光量検出部を配置してもよい。例えば、決定部３０は、上述した判定に加えて、背面に配置した光量検出部で検出される光量が、正面に配置された光量検出部２０Ｃ〜２０Ｆで検出される光量の平均値より小さい場合にユーザ使用中と判定しても良い。
【００５０】
（実施の形態３）
本実施の形態３に係る携帯端末は、実施の形態１、２に係る携帯端末と比較して、ユーザからの操作入力に対するレスポンス速度を向上させることを特徴とする。
【００５１】
図３のフローチャート図が示すように、実施の形態１の決定部３０は、操作入力部１０で操作入力を受けた場合に、光量検出部で検出される光量に基づいて現在の端末使用状態を判定し、ユーザ使用中と判定した場合は操作入力に応じた処理を行っている。当該処理フローによれば、操作入力をトリガとして端末使用状態を判定するため判定回数を抑えることができ、消費電力を抑えることができる。
【００５２】
しかしながら、図３に示す処理フローでは、決定部３０は、操作入力をトリガとして端末使用状態を判定し、当該操作入力に応じた処理を行うかを決定するため、上記判定処理に要する時間分、僅かながらユーザに対するレスポンスに遅延が生じる場合がある。当該レスポンスの遅れはユーザに対して不快感を与える可能性がある。
【００５３】
そこで、本実施の形態３に係る携帯端末は、ユーザインタフェースがより重要となる中、良好なレスポンス速度を保ちつつ、ユーザの使用形態を考慮した上で適切に誤動作等を防止できる携帯端末を提供することを目的としている。以下、図面を参照して本発明の実施の形態３について説明する。なお、実施の形態１、２で既に説明した部分については発明の明確化のため一部説明を省略する。
【００５４】
図７は、本実施の形態３に係る携帯端末３００の構成を示すブロック図である。携帯端末３００は、操作入力部１０と、端末状態検出部３１０と、決定部３０と、を備える。
【００５５】
端末状態検出部３１０は、端末の状態を検出する。具体的には、端末状態検出部３１０は、単数又は複数のセンサ等で構成され、各センサで検出された情報を決定部３０に出力する。端末状態検出部３１０には、フォトダイオードのように外部より照射される光の光量を端末状態として検出する光量検出部も当然含まれる。また、タッチセンサのように物体の接触を端末状態として検出する接触検出部や、サーミスタのように周囲の温度を端末状態として検出する温度検出部などもこれに含むものとする。端末状態検出部３１０は、検出した端末状態に関する情報を端末状態検出信号として決定部３０に出力する。
【００５６】
決定部３０は、端末状態検出部３１０で検出された端末状態に基づいて前記操作入力部１０で受ける操作入力に応じた処理を行うかどうかを決定する。具体的には、決定部３０は、アクティブモードとパッシブモードの２つの管理モードを持ち、端末状態検出部３１０で検出された端末状態に基づいて現在の管理モードを決定する。ここで、アクティブモードとは、入力操作に応じた処理を行う管理モードであり、パッシブモードは入力操作に応じた処理を行わない管理モードである。現在の管理モードを示す情報は、決定部３０内に設けられたレジスタに１ビットのフラグ情報として保持される。決定部３０は、操作入力部１０より操作入力信号を入力すると、レジスタを参照して現在の管理モードを特定し、アクティブモードである場合には当該操作入力に応じた処理を実行する。
【００５７】
次に、決定部３０の動作について説明する。図８、図９は、それぞれ本実施の形態３に係る決定部３０が行う処理の流れを示すフローチャート図である。
【００５８】
決定部３０は、端末状態検出部３１０より端末状態検出信号を入力する（ステップ２００１）。次に、決定部３０は、ステップ２００１で入力した端末状態検出信号に基づいて、現在、端末をユーザが使用しているかどうかを判定する（ステップ２００２）。例えば、端末状態検出部３１０が端末周囲の光量を端末状態として検出する場合には、実施の形態１、２で説明したように複数の端末状態検出部３１０で検出される光量を比較することでユーザが端末を保持して操作しているかどうかを判定することができる。また、端末状態検出部３１０が端末表面の温度を端末状態として検出する場合には、端末状態検出信号が示す当該温度が人間の体温である３５℃〜３８℃を示している場合は、ユーザが端末を保持して操作していると判定し、当該範囲以外の温度である場合は、ユーザが操作していないと判定することができる。
【００５９】
ステップ２００２の判定の結果、ユーザ不使用中と判定した場合は、管理モードをパッシブモードに設定した後にステップ２００１に戻る（ステップ２００３）。一方、ステップ２００２の判定の結果、ユーザ使用中と判定した場合は、管理モードをアクティブモードに設定した後にステップ２００１に戻る（ステップ２００４）。
【００６０】
このように決定部３０は、操作入力をトリガとせず、図８に示す動作を継続して行うことにより、内部の管理モードをリアルタイムで切り替え、現在の管理モードをアクティブモードとパッシブモードのいずれかに設定し、設定値を保持しておく。
【００６１】
次に、操作入力部１０より操作入力を受けた場合の処理の流れについて図９を用いて説明する。決定部３０は、操作入力部１０が外部より操作入力を受けたかどうかを監視する（ステップ２１０１）。決定部３０は、操作入力部１０が外部より操作入力を受けて出力した操作入力信号を入力すると、現在の管理モードがアクティブモードであるかどうかを確認する（ステップ２１０２）。確認の結果、現在の管理モードがパッシブモードであった場合は、当該操作入力は無効であるとして操作入力に応じた処理を行わない（ステップ２１０３）。一方、アクティブモードであった場合は、操作入力に応じた処理を行う（ステップ２１０４）。
【００６２】
以上説明したように、本実施の形態３に係る決定手段は、端末状態検出手段で検出される端末状態に基づいてユーザが端末を使用しているかどうか（操作しているかどうか）を判定し、ユーザが使用していると判定している間に操作入力手段で操作入力を受けた場合は、当該操作入力に応じた処理を行う。一方、ユーザが使用していないと判定されている間に操作入力手段で操作入力を受けた場合は、当該操作入力は無効であると判断して当該操作入力に応じた処理を行わない。換言すれば、決定手段は、入力操作に応じた処理を行う第１モード（アクティブモード）と入力操作に応じた処理を行わない第２モード（アクティブモード）とを端末状態検出手段で検出される端末状態に基づいて切り替える処理を継続して行う。そして、第１モード中に操作入力手段で操作入力を受けた場合は、当該操作入力に応じた処理を行う。
【００６３】
当該構成によれば、操作入力を受けた後に、端末状態検出手段に端末状態を検出させ、端末状態検出手段から端末状態検出信号を入力してユーザが使用中かどうかを判定する必要が無くなる。従って、操作入力を受けてから処理を実行するまでの時間を短縮することができ、レスポンスを早めることができる。
【００６４】
なお、図９の処理フローでは、操作入力を受けた場合に現在の管理モードがアクティブモードかどうかを確認する場合について説明したがこれに限るものではない。例えば、操作入力部１０と決定部３０の間に別途スイッチを設け、決定部３０は現在の管理モードに基づいて当該スイッチのＯＮ−ＯＦＦを行う制御機能を備えていても良い。決定部３０は、図８の処理に従い、現在の管理モードがアクティブモードに設定されている間は、スイッチをＯＮにし、パッシブモードに設定されている場合は当該スイッチをＯＦＦにする。当該スイッチがＯＮの場合に、操作入力部１０で操作入力を受けると、操作入力信号が決定部３０に入力され、決定部３０は、当該操作入力信号に応じた処理を行う。このように構成されていても良い。
【００６５】
（実施の形態４）
本実施の形態４に係る携帯端末は、ユーザ毎に異なる操作方法をより的確に反映させて誤操作の防止を図る機能を備えることを特徴とする。
【００６６】
実施の形態２は、設定部２２０を備え、ユーザが右利きか左利きかを設定することで適切に反映させることで誤操作を防止することが可能となる。しかしながら、操作方法はユーザ毎に異なるため、より正確にユーザからの正規の操作か誤操作かを判定するためには、より細かな設定を行えることが望ましい。
【００６７】
しかしながら、ユーザに複数の選択項目からなる設定画面を提示し、より細かな持ち方や操作方法を入力させることは煩雑な作業をユーザに与えることになる。そこで、本実施の形態４では、ユーザに過度の作業を与えることなく、ユーザ毎に適した設定を行うことができ、より正確な誤操作防止機能を実現することを目的としている。以下、図面を用いて本実施の形態４に係る携帯端末について説明する。なお、実施の形態１〜３で既に説明した部分については発明の明確化のため一部説明を省略する。
【００６８】
図１０は、本実施の形態４に係る携帯端末４００の構成を示すブロック図である。携帯端末４００は、操作入力部１０と、決定部３０と、表示部２１０と、設定部２２０と、設定情報記憶部２３０と、端末状態検出部３１０と、を備える。ここで、設定部２２０は、決定部３０で行われるユーザ使用中かどうかの判定処理において参照される判定基準を自動設定するための設定手段であり、具体的には、端末状態取得部４１０と、タイマ４２０と、検出パターン算出部４３０と、設定情報作成部４４０と、を備える。
【００６９】
端末状態取得部４１０は、ユーザが端末を操作している間に端末状態検出部３１０で検出される端末状態を取得する。具体的には、端末状態取得部４１０は、決定部３０より設定情報作成指示を受けると、タイマ４２０を作動させると共に表示部２１０に図１１に示す設定登録画面を表示させる制御を行う。更に、端末状態取得部４１０は、タイマが作動している間、端末状態検出部３１０より端末状態検出信号を入力し、入力した端末状態検出信号をそのまま検出パターン算出部４３０に出力する。
【００７０】
図１１の設定登録画面を見たユーザは、当該画面が提示されている期間、自分が通常行う操作方法で端末を操作する。端末状態取得部４１０は、この間、端末状態検出部３１０より逐次送られてくる端末状態検出信号を入力することで、ユーザが端末を操作している間に端末状態検出部３１０で検出される端末状態に関する情報を取得する。端末状態取得部４１０は、入力した端末状態検出信号を検出パターン算出部４３０に出力する。
【００７１】
検出パターン算出部４３０は、端末状態取得部４１０より入力した端末状態検出信号に基づいて、ユーザの端末操作時に端末状態検出部３１０で検出される端末状態の検出パターンを算出する。検出パターン算出部４３０は、算出した検出パターンを設定情報作成部４４０に出力する。
【００７２】
設定情報作成部４４０は、検出パターン算出部４３０より入力した検出パターンを纏めて設定情報を作成し、当該設定情報を設定情報記憶部２３０に記憶させる。当該設定情報は、決定部３０が行うユーザが端末を使用しているかどうか（操作しているかどうか）の判定処理に用いられる判定基準を表している。
【００７３】
図１２は、上記設定情報の一例を示す図である。この例では、端末状態検出部３１０は、具体的に、センサＡ〜センサＥの５つのセンサから構成されている。当該設定情報には、ユーザの端末操作時に各センサで検出される端末状態の検出パターンとして８つのパターンが登録されている。
【００７４】
決定部３０は、操作入力部１０より操作入力信号を入力すると、端末状態検出部３１０より端末状態検出信号を入力し、設定情報記憶部２３０に記憶された設定情報を参照して、操作入力部１０で受けた入力操作に応じた処理を行うかどうかを決定する。具体的には、決定部３０は、端末状態検出部３１０より入力した端末状態検出信号が示す値が、設定情報に登録されているいずれかの検出パターンに当てはまるかを判定する。判定の結果、いずれかの検出パターンに当てはまる場合は、決定部３０は、端末状態検出部３１０で検出された端末状態はユーザからの正規の操作であることを示していると判断し、上記入力操作に応じた処理を行う。
【００７５】
以上説明したように、本実施の形態４に係る携帯端末は、ユーザの端末操作時に端末状態検出手段で検出される端末状態に関する情報を取得する取得手段と、当該取得した端末状態に関する情報に基づいて、ユーザの端末操作時に端末状態検出手段で検出される端末状態の検出パターンを算出する算出手段とを備える。そして、算出された検出パターンは、決定手段が行う判定基準として記憶手段に記憶される。当該構成とすることで、決定手段は、ユーザが端末を使用しているかどうかをユーザの操作方法に応じて適切に判定することができ、正規の操作入力か誤操作かをより正確に判定することができる。
【００７６】
なお、上記説明では、設定部２２０は、設定登録画面を表示させた上で所定の期間端末状態に関する情報を取得して設定情報を作成・更新する場合について説明したがこれに限るものではない。設定部２２０は、決定部３０がユーザ使用中と判定している場合に、端末状態検出部３１０より端末状態に関する情報を取得し、当該取得した端末状態に関する情報から検出パターンを算出して、設定情報を逐次更新するよう構成しても良い。
【００７７】
また、上記説明では、検出パターン算出部は、端末操作時に端末状態検出部を構成する各センサにおける端末状態の検出値の絶対値から検出パターンを算出する場合について説明したがこれに限るものでない。例えば、検出パターン算出部は、センサＡでの検出値とセンサＢでの検出値の差分や複数のセンサの検出値の平均値から検出パターンを算出しても良い。
【００７８】
（実施の形態５）
本実施の形態５に係る携帯端末は、決定部３０が行う不要な処理を削減し、消費電力を抑える機能を更に備えることを特徴とする。
【００７９】
実施の形態１に係る携帯端末は、操作入力を受けた場合に決定部が決定処理を行う。しかしながら、ユーザからの操作入力が連続で続く場合などでは、決定処理を一部省略したとしても良好な誤操作防止機能を保つことができる。そこで、本実施の形態５では、良好な誤操作防止機能を保ちつつ、誤操作防止機能に必要とする消費電力を抑えることを目的としている。以下、図面を用いて本実施の形態５に係る携帯端末について説明する。なお、実施の形態１〜４で既に説明した部分については発明の明確化のため一部説明を省略する。
【００８０】
図１３は、本実施の形態５に係る携帯端末５００の構成を示すブロック図である。携帯端末５００は、操作入力部１０と、決定部３０と、端末状態検出部３１０と、決定処理制御部５１０と、を備える。
【００８１】
決定部３０は、決定処理制御部５１０が行う制御に基づいて操作入力部１０で受けた操作入力に応じた処理を行うかどうかを決定する。具体的には、決定処理制御部５１０より決定処理停止信号を入力すると操作入力に応じた処理を行うかどうかの決定処理を中止し、決定処理開始信号を入力すると当該決定処理を開始する。決定部３０は、決定処理制御部５１０より決定処理停止信号を入力して決定処理を停止している間に操作入力部１０より操作入力信号を入力した場合は、そのまま当該操作入力に応じた処理を行う。一方、決定部３０は、決定処理制御部５１０より決定処理開始信号を入力した後に操作入力部１０より操作入力信号を入力した場合は、当該操作入力に応じた処理を行うかどうかの決定処理を行った後に、決定処理結果に基づいて操作入力に応じた処理を行う。決定部３０は、操作入力に応じた処理を行うと決定した場合は、そのことを示す肯定信号を決定処理制御部５１０に出力し、操作入力に応じた処理を行わないと決定した場合は、そのことを示す否定信号を決定処理制御部５１０に出力する。
【００８２】
決定処理制御部５１０は、決定部３０が行う決定処理を制御する。具体的には、決定処理制御部５１０は、操作入力部１０で操作入力を受けた場合に決定部３０が行う決定処理の頻度を制御する。より具体的には、決定処理制御部５１０は、決定部３０より入力された上記肯定信号と否定信号とに基づいて、決定部３０に決定処理を行わせるかどうかの制御を行う。
【００８３】
次に、決定処理制御部５１０が行う処理について説明する。図１４は、決定処理制御部５１０の動作の一例を示すフローチャート図である。
【００８４】
決定処理制御部５１０は、決定部３０から出力される肯定信号及び否定信号を監視し、肯定信号を連続で所定回数入力したかどうかを判定する（ステップ３００１）。決定処理制御部５１０は、肯定信号を所定回数入力した場合は、決定処理停止信号を決定部３０に出力し（ステップ３００２）、時間計測を開始する（ステップ３００３）。ここで、決定処理停止信号は、決定部３０に決定処理を停止させるための信号であり、当該信号を入力した決定部３０は、決定処理を停止する。決定処理制御部５１０は、所定の時間経過したかどうかを判定し（ステップ３００４）、所定の時間が経過した時点で決定部３０に決定処理開始信号を出力し、ステップ３００１に戻る（ステップ３００５）。ここで、決定処理開始信号は、決定部３０に決定処理を開始させるための信号であり、当該信号を入力した決定部３０は決定処理を再開する。
【００８５】
以上説明したように、本実施の形態５に係る携帯端末は、操作入力手段で操作入力を受けた場合に、当該操作入力に応じた処理を行うかどうかを決定する決定処理を行うかどうかを制御する制御手段を備えることを特徴とする。当該制御手段を備えることで、ユーザが使用していると推定される間は決定処理を停止しておくことで、誤操作防止機能を維持しつつ決定処理に消費される電力を抑えることができる。また、ユーザが使用していると推定される間は決定処理が行われることなく操作入力に応じた処理が実行されるため、ユーザからの操作入力に対して良好なレスポンスを実現できる。
【００８６】
なお、端末状態検出部３１０で検出される端末状態に基づいてユーザが端末を使用中（操作中）かどうかを決定部３０が判定する場合には、決定処理制御部５１０は当該判定処理を行うかどうかを制御しても良い。
【００８７】
また、上記説明では、決定処理制御部５１０は、肯定信号を連続で所定回数入力した場合に決定処理停止信号を出力する構成を示したが、これに限るものではない。例えば、決定処理制御部５１０は、端末状態検出部３１０より端末状態信号を入力して定期的にユーザが端末を使用中（操作中）かどうかを判定する構成であっても良い。当該判定の結果、ユーザが端末を使用中と判定した場合は、決定処理停止信号を決定部３０に出力し、決定部３０において消費される電力を抑える構成であっても良い。
【００８８】
また、上記説明では決定処理制御部５１０は、決定処理停止信号を出力してから所定の時間計測し、所定時間経過後に決定処理開始信号を出力する構成について説明したがこれに限るものではない。端末状態検出部３１０より端末状態信号を入力して定期的にユーザが端末を使用中（操作中）かどうかを判定し、判定の結果、ユーザが端末を使用していないと判定した場合に決定処理開始信号を出力する構成であっても良い。
【００８９】
また、上記説明では、決定処理制御部５１０は、決定部３０が決定処理を行うかどうかを制御する構成について説明したがこれに限るものではない。決定制御部５１０は、図３で説明した操作入力をトリガとする第１の決定処理方法と、図７で説明した操作入力をトリガとしない第２の決定処理方法とを切り替える制御を行っても良い。すなわち、操作入力手段で操作入力を受けた場合に、複数の端末状態検出手段で検出される端末状態に基づいてユーザが自装置を使用しているかどうかを判定し、使用していると判定した場合に前記操作入力に応じた処理を行う第１の処理方法と、複数の端末状態検出手段で検出される端末状態に基づいてユーザが自装置を使用しているかどうかを繰り返し判定し、使用していると判定している間に操作入力手段で操作入力を受けた場合に前記操作入力に応じた処理を行う第２の処理方法と、を切り替える制御を行う構成であっても良い。第２の決定処理方法は、第１の決定処理方法と比較して操作入力に対するレスポンス速度を速めることができる一方で消費電力が大きくなる。そこで決定処理制御部５１０は、これら２つの決定処理方法をユーザの使用状況に応じて切り替えることで良好なレスポンス速度を提供しつつ消費電力を抑えることができる。
【００９０】
図１５は、決定制御部５１０が上記切り替え制御を行う場合の切り替え動作を示すフローチャート図である。まず、決定処理制御部５１０は、決定部３０が行う決定処理方法を第１の決定処理方法に設定する（ステップ３１０１）。決定部３０は、第１の決定処理方法を用いて決定処理を行う。
【００９１】
ここで、決定部３０が、操作入力部１０より操作入力信号を入力し、端末状態検出部３１０より入力した端末状態検出信号に基づいてユーザ使用中と判定し、操作入力に応じた処理を行うと決定したとする（ステップ３１０２）。この場合、決定処理制御部５１０は、決定部３０が行う決定処理方法を第１の決定処理方法から第２の決定処理方法に移行させる（ステップ３１０３）。移行後は、決定部３０は、第２の決定処理方法を用いて決定処理を行う。
【００９２】
決定処理制御部５１０は、決定部３０の管理モードを監視し、所定の時間以上パッシブモードが継続しているかを判定する（ステップ３１０４）。所定の時間以上パッシブモードが続く場合は、決定部３０が行う決定処理方法を第２の決定処理方法から第１の決定処理方法に移行させた後にステップ３１０２に戻る（ステップ３１０５）。
【００９３】
このように構成することで、ユーザが使用している最中はレスポンス速度の速い第２の決定処理方法で誤操作防止を行い、ユーザの使用が止まった場合は消費電力にメリットがある第１の決定処理方法で誤操作防止を行う。このような構成とすることで良好な使用感を損なわず、かつ、消費電力を抑えた誤操作防止機能を実現することができる。
【００９４】
（実施の形態６）
本実施の形態６に係る携帯端末は、誤操作防止機能が作動した場合にユーザが誤操作防止機能を解除できる構成を備えることを特徴とする。
【００９５】
本発明に係る携帯端末では、端末状態に基づいて操作入力に応じた処理を行うかどうかの決定処理を決定部が行う。しかしながら、決定部がユーザの端末使用状態の判断を誤り、ユーザが行った正規の操作入力であるにもかかわらず操作入力に応じた処理が行われない場合が生じ得る。このような場合は、ユーザは、なぜ処理が行われないのかがわからずストレスや不安を感じる可能性がある。そこで、本実施の形態６では、誤って誤操作防止機能が働いて操作ロックがかかった場合にユーザが適切にロックを解除できる構成を提供することを目的としている。以下、図面を用いて本実施の形態６に係る携帯端末について説明する。なお、実施の形態１〜５で既に説明した部分については発明の明確化のため一部説明を省略する。
【００９６】
図１６は、本実施の形態６に係る携帯端末の構成を示すブロック図である。携帯端末６００は、操作入力部１０と、決定部３０と、表示部２１０と、端末状態検出部３１０と、操作ロック解除部６１０と、を備える。なお、本実施の形態６では、操作入力部１０は、具体的にタッチパネルであるとして説明する。
【００９７】
決定部３０は、端末状態検出部３１０で検出された端末状態に基づき、ユーザ不使用中であると判定して操作入力に応じた処理を行わない場合、当該処理を行わないこと示す信号を操作ロック解除部６１０に出力する。
【００９８】
操作ロック解除部６１０は、決定部３０より当該信号を入力すると、誤操作防止機能が作動して操作ロックがかかったことを通知する内容及び操作ロックを解除する方法を通知する内容を表示部２１０に表示させる。
【００９９】
図１７は、操作ロック解除部６１０からの表示指示に基づいて表示部２１０が表示する操作ロック解除用の表示画面を示している。当該画面では、タッチパネルである操作入力部１０で矢印をなぞる操作を入力させることが操作ロックを解除する方法である場合を示している。操作ロック解除部６１０は、図１７に示す画面を数秒間程表示部２１０に表示させると共に、操作入力部１０からの入力を監視する。
【０１００】
操作ロック解除部６１０は、表示部２１０に上記画像を表示させている間に当該画面で提示した内容の操作入力を操作入力部１０が受けた場合は、決定部３０に操作ロックを解除するための解除信号を出力する。操作ロック解除部６１０より当該解除信号を入力した決定部３０は、操作ロックを解除し、操作入力に応じた処理を行わせる。
【０１０１】
以上説明したように、本実施の形態６に係る携帯端末は、ユーザが自装置を使用していないと判定して前記操作入力に応じた処理が行われない場合に、前記処理が行われないことを示す情報を表示する表示手段を備える。そして、当該表示手段は、前記処理を行わせる操作入力方法を合わせて表示する。そして、当該表示手段が表示した操作入力方法に応じた操作入力を操作入力手段が受けた場合は、決定手段に操作入力に応じた処理を行わせる。当該構成とすることで、誤操作防止機能が誤って作動しても、ユーザは表示画面から誤操作防止機能が作動したことにより操作入力に応じた処理が行われないことを認識できる。さらに、表示画面に表示された操作入力を行うことで操作ロックを解除できるため、ユーザに大きなストレスを感じることなく誤操作防止機能を維持することができる。
【０１０２】
なお、上記説明では操作入力部１０はタッチパネルであり、操作ロック解除部６１０は、誤操作防止機能を解除させる方法として指定した部分をユーザに触らせる場合について説明したがこれに限るものではない。操作入力部１０は複数の入力キーから構成され、操作ロック解除部６１０は、操作ロックを解除させる方法として表示部に所定の数字を表示させてもよい。操作入力部１０より当該表示させた数字キーが押下された場合は、操作ロック解除部６１０は、先ほど決定部３０が行った操作入力に応じた処理を行わないという決定は誤りであったと判断し、決定部３０に当該処理を行わせる制御を行うことができる。
【０１０３】
また、表示部２１０は、表示画面の所定のスペースに操作ロック解除用のアイコンを表示するよう構成しても良い。ユーザが当該アイコンが表示された部分のタッチパネルを触ることで、操作ロックが解除されるよう構成しても良い。
【０１０４】
（実施の形態７）
本実施の形態７に係る携帯端末は、アプリケーションの種類に応じて柔軟に誤操作防止機能のレベルを変更できる構成を備えることを特徴とする。
【０１０５】
本発明に係る携帯端末では、端末状態に基づいて操作入力に応じた処理を行うかどうかの決定処理を決定部が行う。しかしながら、ユーザの操作方法によっては、決定部はユーザが操作しているにもかかわらず誤操作であると誤って判定してしまう可能性がある。このような誤判定が起こることは操作を行っているユーザに対してストレスを与えることになる。
【０１０６】
ここで、誤操作の中には大きな問題となる誤操作と大した問題とならない誤操作が存在する。例えば、ポケットに入れた状態で誤操作が起き、電話帳に登録している人に対して誤って電話をかけてしまう誤操作や、携帯端末の設定内容を変更してしまうような誤操作はユーザにとって大きな問題となる可能性が高い。一方で、メモ帳や計算機といったアプリケーションが誤って起動されて文字や数値が入力されてもユーザにとってはそれほど大きな問題とはならない。
【０１０７】
このように誤操作には、アプリケーションの内容や操作内容によって問題の重大性が異なるにもかかわらず、同じ基準で誤操作防止機能が実現されていた。そこで、本実施の形態７では、問題の重要性を考慮に入れた上で誤操作の防止を行う携帯端末を提供することを目的としている。以下、図面を用いて本実施の形態５に係る携帯端末について説明する。なお、実施の形態１〜６で既に説明した部分については発明の明確化のため一部説明を省略する。
【０１０８】
図１８は、本実施の形態７に係る携帯端末７００の構成を示すブロック図である。携帯端末７００は、操作入力部１０と、決定部３０と、端末状態検出部３１０と、アプリケーション記憶部７１０と、判定基準管理情報記憶部７２０と、を備える。
【０１０９】
アプリケーション記憶部７１０は、決定部３０で実行される各種アプリケーションが記憶されている。
【０１１０】
判定基準管理情報記憶部７２０は、アプリケーションの種類毎に判定基準を管理するための判定基準管理情報を記憶する。判定基準管理情報記憶部７２０は、判定基準管理情報として図１９に示す第１管理テーブルと図２０に示す第２管理テーブルとを記憶する。
【０１１１】
図１９は第１管理テーブルの一例を示すものであり、アプリケーションの種類毎に判定レベルが対応付けされている。ここで、判定レベルとは、決定部３０が行う判定処理における厳格さを示している。電話、電子メール、ＳＭＳのように、誤操作により他人に迷惑をかけ得るアプリケーションに対しては高い判定レベルが設定されている。一方、インターネット接続のように他人に迷惑がかからないもののインターネット接続料などの課金が発生しうるアプリケーションに対しては中程度の判定レベルが設定されている。メモ帳や計算機のように誤操作が大きな問題とならないアプリケーションに対しては低い判定レベルが設定されている。
【０１１２】
図２０は、第２管理テーブルの一例を示すものであり、判定レベル毎に、決定部３０が行う判定処理で参照される判定基準を示している。例えば、判定レベル５に対しては、端末状態検出部３１０を構成する５つのセンサＡ〜Ｅでそれぞれ検出される端末状態を示す端末状態検出信号の値の判断基準が、４３〜４８、１２〜１９、１５５〜１６０、３４〜３６、２３〜２８、に設定されている。
【０１１３】
決定部３０は、操作入力を受けた操作入力部１０より操作入力信号を入力すると、当該操作入力に係るアプリケーションを特定する。次に、決定部３０は、判定基準管理情報記憶部７２０に記憶されている第１管理テーブルを参照し、上記特定したアプリケーションに対応付けられた判定レベルを取得する。次に、決定部３０は、判定基準管理情報記憶部７２０に記憶されている第２管理テーブルを参照し、上記取得した判定レベルに対応付けられた判定基準を取得する。決定部３０は、端末状態検出部３１０より端末状態検出信号を入力し、当該入力した端末状態検出信号が示す値と上記取得した判定基準とを比較することでユーザが自端末を使用しているかどうかを判定する。すなわち、決定部３０は、端末状態検出部３１０より入力した端末状態検出信号が示す値が、上記取得した判定基準の範囲内に収まっている場合は、ユーザが自端末を使用していると判定する。決定部３０は、当該判定の結果、ユーザが自端末を使用していると判定した場合は、上記操作入力に応じた処理を行う。
【０１１４】
以上説明したように、本実施の形態７に係る携帯端末は、複数のアプリケーションを記憶するアプリケーション記憶手段と、前記アプリケーションに応じて異なる判定基準を記憶する判定基準記憶手段と、を備える。そして、前記決定手段は、前記操作入力手段で受けた操作入力に係るアプリケーションに応じた判断基準を参照してユーザが自装置を使用しているかどうかを判定する。当該構成とすることで操作されるアプリケーションに応じて誤操作防止機能のレベルを変更することができる。
【０１１５】
なお、上記説明ではアプリケーション毎に判定レベルが対応づけられる場合について説明したがこれに限るものではなく操作入力の内容に基づいて判定レベルが対応付けられていても良いし、入力キー毎に異なる判定レベルが対応付けられていても良い。例えば、電話やメールの発信操作に高い判定レベルが対応付けられ、電話番号の入力操作には低い判定レベルが対応付けられていても良い。また、決定ボタンに高い判定レベルが対応付けられ、キャンセルボタンに低い判定レベルが対応付けられていてもよい。
【０１１６】
また、判定レベルが小さいアプリケーション、操作内容、入力キー、については端末状態に基づく判定処理を行わない構成としても良い。操作入力部１０が操作入力を受けると、決定部３０は、当該操作入力に係るアプリケーションや、操作内容、入力キーを特定し、これらに対応付けされた判定レベルを上記第１管理テーブルを参照して確認する。確認した結果、操作入力に係るアプリケーション等に低い判定レベルが対応付けされていた場合は、決定部３０は、端末状態に基づいてユーザが使用しているかどうかの判定を行うことなく、操作入力に応じた処理を実行する。このように構成していても良い。
【０１１７】
以上各実施の形態で説明したように、本発明によれば、誤操作を防止することができる。なお、本発明は上記実施の形態に限られたものではなく、趣旨を逸脱しない範囲で適宜変更することが可能である。
【０１１８】
例えば、上記各実施の形態で説明した決定部３０、設定部２２０、端末状態取得部４１０、タイマ４２０、検出パターン算出部４３０、設定情報作成部４４０、決定処理制御部５１０、操作ロック解除部６１０、の各機能は、情報処理装置にプログラムを実行させることにより実現される構成をとることが可能である。
【０１１９】
例えば、外部から操作入力を受けたことを示す信号が入力された場合に、複数の光量検出手段で検出された光量を示す光量検出信号を入力する入力処理と、前記入力した光量検出信号に基づいて前記操作入力に応じた処理を行うかどうかを決定する決定処理と、を有する誤操作防止プログラムを所謂ＣＰＵ（Central Processing Unit）である情報処理装置に実行させることで、上述した決定部の機能が実現されても良い。
【０１２０】
また、当該誤操作防止プログラムは、前記入力した光量検出信号に基づいて前記操作入力に応じた処理を行うかどうかを決定する決定処理を行うかを制御する制御処理を更に情報処理装置に実行させても良い。
【０１２１】
これらのプログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（random access memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【０１２２】
また、本発明の携帯端末装置には、携帯電話やスマートフォンを始めとして、スマートリモコンと言ったリモートコントローラや、タブレットＰＣなど、様々な持ち運び可能な携帯端末装置を含むことができる。
【符号の説明】
【０１２３】
１０  操作入力部                    ２０Ａ〜２０Ｆ  光量検出部
３０  決定部                        ４０  表示部
１００  携帯端末                  ２００  携帯端末
２１０  表示部                    ２２０  設定部
２３０  設定情報記憶部            ３００  携帯端末
３１０  端末状態検出部            ４００  携帯端末
４１０  端末状態取得部            ４２０  タイマ
４３０  検出パターン算出部        ４４０  設定情報作成部
５００  携帯端末                  ５１０  決定処理制御部
６００  携帯端末                  ６１０  操作ロック解除部
７００  携帯端末                  ７１０  アプリケーション記憶部
７２０  判定基準管理情報記憶部
【図１Ａ】
2013062718.tif 000003
【図１Ｂ】
2013062718.tif 000004
【図２】
2013062718.tif 000005
【図３】
2013062718.tif 000006
【図４】
2013062718.tif 000007
【図５】
2013062718.tif 000008
【図６】
2013062718.tif 000009
【図７】
2013062718.tif 000010
【図８】
2013062718.tif 000011
【図９】
2013062718.tif 000012
【図１０】
2013062718.tif 000013
【図１１】
2013062718.tif 000014
【図１２】
2013062718.tif 000015
【図１３】
2013062718.tif 000016
【図１４】
2013062718.tif 000017
【図１５】
2013062718.tif 000018
【図１６】
2013062718.tif 000019
【図１７】
2013062718.tif 000020
【図１８】
2013062718.tif 000021
【図１９】
2013062718.tif 000022
【図２０】
2013062718.tif 000023